(57)【要約】【課題】頻繁に清掃メンテナンスをしなくても排水機能の低下が生じにくく、かつ、排水溝に流れ込む水量が多くても少なくても対応できる排水溝ユニットを提供する。【解決手段】路面の排水を行う鋼製の排水溝ユニット１であって、（ａ）排水溝ユニット１内に流入した排水を流す底面部２４と、底面部２４の端部から立ち上がり正面側の壁となる立ち上がり部２３と、立ち上がり部２３と反対側の底面部２４の端部から立ち上がる背面部２５とを有する流水プレート２０と、（ｂ）流水プレート２０の上に載せて蓋として着脱可能に設けられ流水孔１４を穿設した上蓋体１０と、を有し、（ｃ）流水プレート２０の底面部２４の上面側に、流水補助部１００を、立ち上がり部２３に沿って配置してあることを特徴とする。【選択図】図１
2019019637.tif 000002
【特許請求の範囲】
【請求項１】
排水溝ユニットの内部に嵌め込む長尺で窪んだ底部を有するプレートであって、
長手方向に沿って、底部から両端に向かってそれぞれ上昇する傾斜面を形成するように折曲してある樋状部を有することを特徴とする排水溝ユニット用部品。
【請求項２】
前記樋状部の断面が、略Ｖ字状又は略レ字状又は略Ｕ字状であることを特徴とする請求項１記載の排水溝ユニット用部品。
【請求項３】
さらに、長手方向に沿って、前記樋状部の両端に鍔部を有することを特徴とする請求項１又は請求項２に記載の排水溝ユニット用部品。
【請求項４】
路面の排水を行う鋼製の排水溝ユニットであって、
（ａ）前記排水溝ユニット内に流入した排水を流す底面部と、前記底面部の端部から立ち上がり正面側の壁となる立ち上がり部と、前記立ち上がり部と反対側の底面部の端部から立ち上がる背面部とを有する流水プレートと、
（ｂ）前記流水プレートの上に載せて蓋として着脱可能に設けられ流水孔を穿設した上蓋体と、を有し、
（ｃ）前記流水プレートの底面部の上面側に、請求項１から請求項３のいずれかに記載の排水溝ユニット用部品を、前記立ち上がり部に沿って配置してあることを特徴とする排水溝ユニット。
【請求項５】
前記流水プレートの底面部の上面側に、１又は複数の仕切り板を設けてあり、
前記仕切り板のうち前記立ち上がり部に最も近い仕切り板と前記立ち上がり部との間に、前記排水溝ユニット用部品を嵌め込んであることを特徴とする請求項４記載の排水溝ユニット。
【発明の詳細な説明】
【技術分野】
【０００１】
本発明は、道路の路肩等に設置して路面の排水を行う鋼製の排水溝ユニット及びその部品に関する。
【背景技術】
【０００２】
従来、鋼製の排水溝ユニットは、路肩等に連続して並べて、路面の雨水等を排水マスに導いて排水する中空のユニットであり、大量の雨水等を排水するものも知られている（例えば、特許文献１参照）。
【先行技術文献】
【特許文献】
【０００３】
【特許文献１】特開２００５-５４４９１号公報
【発明の概要】
【発明が解決しようとする課題】
【０００４】
しかし、従来の排水溝ユニットでは、内部に溜まったゴミなどを取り除く掃除等のメンテナンスが困難であり、特に、橋梁上、交差点内、トンネル内道路、線路内等、作業が困難な箇所の路肩に設置する場合はメンテナンスが特に困難であるという問題があった。橋の上などは、足場を作って塩ビ管を用いて排水マスを点検する必要があり美観も悪く作業も大変であるという問題があった。メンテナンスが十分でないと、時がたつにつれ、錆びやすくなる上に、泥が詰まって草が生え、排水機能が著しく低下するという問題があった。
【０００５】
排水溝ユニット内の流路が広いと砂等が滞留しやすくなる。一方で、流路が狭いと、排水溝ユニットに流れ込む排水の量が多くなった場合に、排水構内の排水が間に合わずに、排水溝から水が溢れ出てしまう、すなわち高水量に対応できないという問題が生じるおそれがあった。
【０００６】
したがって、本発明の第１の目的は、上記した課題を解決し、頻繁に清掃メンテナンスをしなくても排水機能の低下が生じにくく、かつ、排水溝に流れ込む水量が多くても少なくても対応できる排水ユニット及びその部品を提供することにある。
【課題を解決するための手段】
【０００７】
発明者らは、研究の結果、低流量域において砂の排出を高めることが、排水機能の低下防止に高い効果をもたらすことを見いだし、本発明を試行錯誤のうえ完成させた。
【０００８】
本発明の第１の態様は、上記目的を達成するため、
排水溝ユニットの内部に嵌め込む長尺で窪んだ底部を有するプレートであって、
長手方向に沿って、底部から両端に向かってそれぞれ上昇する傾斜面を形成するように折曲してある樋状部を有することを特徴とする排水溝ユニット用部品を提供する。
【０００９】
本発明の第１の態様によれば、排水溝ユニットの内部に嵌めこむことにより、流量が少なければ流路幅が狭まり、したがって、低流量でも水が流れやすくなり、水の排出とともに砂の排出を促すため、土砂等が堆積しにくくなる。一方で、流量が多くなってくると流路幅も広くなる。また、傾斜により砂等が底部に集中し、かつ底部の流速が早いので、砂等の排出が促進される。したがって、頻繁に清掃メンテナンスをしなくても排水機能の低下が生じにくく、かつ、排水溝に流れ込む水量が多くても少なくても対応できる。
【００１０】
前記樋状部の断面が、略Ｖ字状又は略レ字状又は略Ｕ字状であることが好ましい。低流量での流水効果が高く、より排水機能及び砂の排出機能を高めることができる。
【００１１】
さらに、長手方向に沿って、前記樋状部の両端に鍔部を有することが好ましい。流水路に嵌め込む際に、立ち上がり板の上に鍔部を載置することにより、水が隙間に入り込むことを防止できる。また、鋼製又は樹脂製であることが好ましい。
【００１２】
本発明の第２の態様は、上記目的を達成するため、路面の排水を行う鋼製の排水溝ユニットであって、
（ａ）前記排水溝ユニット内に流入した排水を流す底面部と、前記底面部の端部から立ち上がり正面側の壁となる立ち上がり部と、前記立ち上がり部と反対側の底面部の端部から立ち上がる背面部とを有する流水プレートと、
（ｂ）前記流水プレートの上に載せて蓋として着脱可能に設けられ流水孔を穿設した上蓋体と、を有し、
（ｃ）前記流水プレートの底面部の上面側に、上述した本発明の第１の態様の排水溝ユニット用部品を、前記立ち上がり部に沿って配置してあることを特徴とする排水溝ユニットを提供する。
【００１３】
本発明の第２の態様によれば、排水の流路となる流水プレートの底面部のうち、低流量の流水が流れる流路幅が狭まり、水が流れやすくなり、水の排出とともに砂の排出を促すため、土砂等が堆積しにくくなる。また、流量が増えてくると流路幅が広くなる。したがって、頻繁に清掃メンテナンスをしなくても排水機能の低下が生じにくく、かつ、排水溝に流れ込む水量が多くても少なくても対応できる。
【００１４】
前記流水プレートの底面部の上面側に、１又は複数の仕切り板を設けてあり、
前記仕切り板のうち前記立ち上がり部に最も近い仕切り板と前記立ち上がり部との間に、前記排水溝ユニット用部品を嵌め込んであることが好ましい。排水溝ユニットに流れ込む水量が少量でも流水効果が高く、かつ、流れ込む水量が多い時には、仕切り板を越えて排水を流すことができるので溢れにくく、利便性が高い。
【発明の効果】
【００１５】
本発明によれば、頻繁に清掃メンテナンスをしなくても排水機能の低下が生じにくく、かつ、排水溝に流れ込む水量が多くても少なくても対応できる。
【図面の簡単な説明】
【００１６】
【図１】本発明の排水溝ユニットの実施例１の斜視図である。
【図２】本発明の排水溝ユニットの実施例１において上蓋体を開いた状態の斜視概略図である。
【図３】本発明の排水溝ユニットの実施例１において上蓋体を開き前面受アングルを外した状態の斜視概略図である。
【図４】本発明の排水溝ユニットの実施例１における流水補助部の斜視図である。
【図５】本発明の排水溝ユニットの実施例１における流水補助部の設置説明図（右側）である。
【図６】本発明の排水溝ユニットの実施例１における流水補助部の設置説明図（左側）である。
【図７】本発明の排水溝ユニットの実施例１において上蓋体を開いた状態の右側面概略図である。
【図８】本発明の排水溝ユニットの実施例１において上蓋体を開いた状態の左側面概略図である。
【図９】本発明の排水溝ユニットの実施例２の斜視図である。
【図１０】本発明の排水溝ユニットの実施例２において上蓋体を開いた状態の斜視概略図である。
【図１１】本発明の排水溝ユニットの実施例２において上蓋体を開き前面受アングルを外した状態の斜視概略図である。
【図１２】本発明の排水溝ユニットの実施例２における流水補助部の斜視図である。
【図１３】本発明の排水溝ユニットの実施例２における流水補助部の設置説明図（右側）である。
【図１４】本発明の排水溝ユニットの実施例２における流水補助部の設置説明図（左側）である。
【図１５】本発明の排水溝ユニットの実施例２において上蓋体を開いた状態の右側面概略図である。
【図１６】本発明の排水溝ユニットの実施例２において上蓋体を開いた状態の左側面概略図である。
【発明を実施するための形態】
【００１７】
以下、本発明について、実施例を用いて本発明を具体的に説明するが、本発明はこれらに限定されるものではない。
【実施例１】
【００１８】
実施例１の排水溝ユニットは、低流量の排水が排水溝内に流れ込んだ際に、底面部のうち、排水溝に流れ込んだ水（排水）の量が少量である場合には、排水が流れる部分の流路幅が狭くなるので、排水機能の低下及び砂の排出機能の低下を防止し、したがって泥が溜まる等メンテナンスが必要となる事態を防ぐことができ、かつ、排水溝に流れ込んだ水（排水）の量が増えて、排水溝内を流れる流量が多くなると流路幅が広くなるため、排水溝に流れ込む排水量が大量でも、排水が排水溝から溢れず、排水量が多くても対応可能となるものである。
【００１９】
｛構成｝
図１は、本発明の排水溝ユニットの実施例１の斜視図である。排水溝ユニット１は、鋼製であって、背面側を歩道側に、正面側を車道側にして、路肩等に連続して並べて、路面の雨水等を排水マスに導いて排水する中空のユニットであり、橋梁上、交差点内、トンネル内道路、線路内等の設置に特に適している。以下、前面部１２側を排水溝ユニット１の正面側として説明する。図１は、平面（上面）、正面、右側面を表す図である。排水溝ユニット１は縁石としての役割も兼ね備え、歩道は、排水溝ユニットの背面側にアスファルト等を流し入れて、車道より高い位置に作られる。
【００２０】
排水溝ユニット１は、路面の排水を行う鋼製の排水溝ユニット１であって、（ａ）排水溝ユニット１内に流入した排水を流す底面部２４と、底面部２４の端部から立ち上がり正面側の壁となる立ち上がり部２３と、立ち上がり部２３と反対側の底面部２４の端部から立ち上がる背面部２５とを有する流水プレート２０と、（ｂ）流水プレート２０の上に載せて蓋として着脱可能に設けられ流水孔１４を穿設した上蓋体１０と、を有し、（ｃ）流水プレート２０の底面部２４の上面側に、流水補助部１００を、立ち上がり部２３に沿って配置してある。流水プレート２０の上面側は、流水路としての役割を果たす。立ち上がり部２３に沿って、前面受アングル７１に流水補助部１００の鍔部の一端を接触させて、配置してあり、流水略部１００の鍔部の他端は、仕切り板のうち立ち上がり部に最も近い仕切り板である第１仕切り板２１の上端の上に載置して、流水補助部１００を、立ち上がり部２３と第１仕切り板２１との間に嵌め込んである。
【００２１】
以下、詳細に示す。上蓋体１０は、鋼板をクランク状に連続して３面に屈曲させて、直角なＳ字状の形状としてある。すなわち、上蓋体１０は、上面部１１と、上端が上面部１１の一端に連続しており上面部１１に対し下方に直角な面となる前面部１２と、前面部１２の下端に連続しており上面部１１と反対側に向けて直角な面となる受面部１３とを構成する。前面部１２と受面部１３のなす角部分に雨水が入る流水孔１４が複数穿設してある。図１においては、流水孔１４は８つであるが、流水孔の数はこれに限られない。なお、本実施例では、前面部１２と、受け面部１３や上面部１１とのなす角度は９０度であるが、これに限られず、前面部１２の下部が正面側にせり出す方向に斜めであってもよいし、前面部１２の上部が正面側にせり出す方向に斜めであってもよい。
【００２２】
流水プレート２０は、鋼板を直角なＬ字に曲げてさらに正面側先端を上方に直角に曲げて、背面側を背面部２５、下面側を底面部２４、正面側先端の立ち上がった壁部分を立ち上がり部２３として、上蓋体１０の下方に上蓋体１０の背面側から正面側下部に向かって中空領域を形成するように配置されており、正面側先端の高さは、上蓋体１０の受面部１３と同じ高さにしてある。すなわち、上蓋体１０は、上方が開いた流水プレート２０の蓋の役目を果たす。流水プレート２０には、底面部２４の上面側に、第１仕切り板２１と第２仕切り板２２とを有する。第１仕切り板２１が立ち上がり部２３に最も近く、第２仕切り板２２は、第１仕切り板２１より背面部２５側に近い。本実施例では仕切り板は２枚であるが、１枚でもよく、枚数はこれに限らない。流水プレート２０の正面側の屈曲部分である立ち上がり部２３の外側には、Ｌ字型の補強アングル（図示省略）が、流水プレート２０の正面側下部の角部を保護するように設けてある。
【００２３】
排水溝ユニット１は、車道の端に一列に直列して並べ、受面部１３の上面が車道面に対してフラットになるように埋め込んであり、隣り合う排水溝ユニットは接続されている。上蓋体１０と、流水プレート２０とは、曲げ加工又は、ロールホーミング加工で作成され各面を形成している。ロールホーミング及び潰し曲げで加工により流水プレート２０と、仕切りプレート板２１、２２を一体で形成し作成することも可能である。
【００２４】
上蓋体１０の裏側には、前面部１２と受面部１３のなす角の裏側部分に、流水孔１４と重ならないように、補強プレート（図示省略）が溶接して設けられている。また、前面部１２と上面部１１の裏面側に、排水溝ユニット１の長手方向に垂直となるようにリブプレート（図示省略）が設けられている。受面部１３に車のタイヤ等が載ったり、前面部１２に車のタイヤや車体等が当たったり、上面部１１に車のタイヤや車体等が乗り上げたりする事態でも、補強プレートやリブプレートによって中空である排水溝ユニットが潰れないように保護する役割を果たす。また、リブプレートの縁は、上面部１１と前面部１２の裏側に溶接されており、上蓋体１０を閉じたときに流水プレート２０の背面に一辺が当たる大きさとなっている。
【００２５】
Ｌ字型の流水プレート２０の立ち上がり部２３の内側、すなわち、正面側から見て裏面側には、Ｌ字型の前面受アングル７１が溶接されている。前面受アングル７１は、上蓋体１０を閉じたときに受面部１３の端部を載せる一辺と、流水プレート２０の正面側先端裏面側に溶接したもう一辺を有する。また、流水プレート２０の背面の上部内側、すなわち正面側から見て表面側には、Ｌ字型の背面受アングル７２が溶接されている。背面受アングル７２は、上蓋体１０を閉じたときに上面部１１の端部を載せる一辺と、流水プレート２０の背面部２５の上部表面側に溶接したもう一辺を有する。
【００２６】
図２は、本発明の排水溝ユニットの実施例１において上蓋体を開いた状態の斜視概略図である。また、図３は、本発明の排水溝ユニットの実施例１において上蓋体を開き前面受アングルを外した状態の斜視概略図である。図２及び図３は、平面（上面）、正面、右側面を表す図である。図２においては、流水プレート２０及びその詳細、前面受アングル７１、流水補助部１００以外は図示を省略している。図３においては、流水プレート２０及びその詳細、流水補助部１００以外は図示を省略している。流水補助部１００は、平面視において、立ち上がり部２３に溶接により取り付けた前面受アングル７１によって一部が隠れる。
【００２７】
図４は、本発明の排水溝ユニットの実施例１における流水補助部の斜視図である。流水補助部１００は、排水溝ユニット１の、流水プレート２０の上面側、すなわち流水路に嵌め込む長尺の鋼板で、窪んだ底部を有するプレートであって、長手方向に沿って、中央付近から両端に向かってそれぞれ上昇する傾斜面を形成するように折曲してある樋状部１１０を有し、長手方向に沿って、樋状部１１０の両端に鍔部１２０を有する。本実施例における樋状部１１０は、断面略Ｖ字状で、第１傾斜面１１１、下端の頂点部分となる底部１１３、第２傾斜面１１２を有する。鍔部１２０は、第１傾斜面１１１の上端から外側（第２傾斜面１１３と反対側）へ向かって延伸された部分である第１鍔部１２１と、第２傾斜面１１２の上端から外側（第１傾斜面１１１と反対側）へ向かって延伸された部分である第２鍔部１２２とを有する。本実施例の流水補助部は、新設する排水溝ユニットにあらかじめ設置しておくが、既存の排水溝ユニットに追加で嵌めこんでもよい。流水補助部を載置するだけで済むので、工数が少なく、また溶接等が不要であるので、工事期間や工事費も少なくて済む。なお、流水補助部１００を溶接等によって固定させてもよい。
【００２８】
本実施例の流水補助部は鋼製であるが、樹脂製でもよい。樹脂製とすると、運搬が楽で、既存の排水溝に追加する場合にも利便性がよく、腐食もしにくい。
【００２９】
図５は、本発明の排水溝ユニットの実施例１における流水補助部の設置説明図（右側）である。図５は、右側面斜め上から見た図である。図６は、本発明の排水溝ユニットの実施例１における流水補助部の設置説明図（左側）である。図６は、左側面斜め上から見た図である。図７は、本発明の排水溝ユニットの実施例１において上蓋体を開いた状態の右側面概略図である。図８は、本発明の排水溝ユニットの実施例１において上蓋体を開いた状態の左側面概略図である。図５〜図８においては、流水プレートと前面受アングルと流水補助部以外は図示を省略している。
【００３０】
流水補助部１００は、排水溝ユニット１の右端から左端まである細長い形状で、立ち上がり部２３に沿って流水補助部１００の鍔部１２０の一端である第１鍔部１２１を載置し、仕切り板のうち立ち上がり部に最も近い仕切り板である第１仕切り板２１の上に鍔部１２０の他端である第２鍔部１２２を載置してある。底部１１３は底面部２４の上面と接触している。
【００３１】
本実施例において、底面部２４と第１傾斜面１１１とでなす角と、底面部２４と第２傾斜面１１２とでなす角は、略対称で大体同程度の角度であるが、非対称でもよく、角度が異なっていてもよい。
【００３２】
本実施例において、底部１１３は、下向きの頂角であるが、下向きの湾曲面で構成されてもよい。その場合に底部１１３の湾曲面のカーブが緩やかであると、樋状部は略Ｕ字状に近くなる。すなわち、樋状部の断面は略Ｕ字状でもよい。Ｕ字の底部分は狭い方が低流量での砂の排出には効果が高い。
【００３３】
流水プレート２０の底面部２４の上面側に設けられた、流水補助部１００は、排水溝ユニット１の長手方向全長に渡って設けられており、底面部２４のうち、最も立ち上がり部２３に近いエリアを覆っている。排水溝ユニット１の流水孔１４から内部に入った排水は、長手方向に連続して接続される複数の排水溝ユニットを通って排水マスへと導かれる。
【００３４】
上蓋体１０と流水プレート２０とは、上蓋体１０の上面部１１裏側に設けられた連結プレート（図示省略）と流水プレート２０の連結プレートに接続されたチェーン（図示省略）、連結プレートと流水プレートの連結プレートに接続されたチェーン（図示省略）とで繋がれている。流水プレート２０の背面部２５の表面側左右端には、左右に並べた排水溝ユニットを接続するボルト止めに用いる接続プレート（図示省略）が設けられている。なお、連結プレートの上部には、上蓋体１０を上方に開いて上げた際に上蓋体１０の端部を挟み込んで保持するための切欠き（図示省略）が設けられている。
【００３５】
上蓋体１０は、上面部１１を背面受アングル７２の上に載せてリブプレート（図示省略）の背面側の辺を流水プレート２０の背面で支え受面部１３を前面受アングル７１の上に載せることで安定して保持される。上に上蓋体１０を被せた流水プレート２０の下部は補強アングル（図示省略）でカバーされている。流水プレート２０の背面部２５の裏側には、アンカーパイプ（図示省略）が設けられている。流水プレート２０の背面部２５の裏側、すなわち排水溝ユニット１の背面側には、上部に３つのアンカーパイプ（図示省略）、下部に４つのアンカーパイプ（図示省略）が並べて溶接してある。各アンカーパイプは筒状であり、中には、Ｌ字型のアンカーバーを通す。排水溝ユニット１は、受面部１３の上面を車道の路面と同じ高さとして路肩に敷設される。アンカーバー（図示省略）は、アンカーパイプ内に通した一端と直角をなす他端を排水ユニット１の背面と直角に突き出す形にして歩道側のアンカー鉄筋と固定する。
【００３６】
排水溝ユニット１は、地面の上に、流水プレート２０の底面部２４と補強アングルの底面が、地面に接するように設置する。
【００３７】
上蓋体１０の上面部１１と前面部１２の交わる部分の裏側にあたるリブプレートの上部角は、上蓋体１０とリブプレート３０を溶接で接続しているため、スカラップ（図示省略）が設けられている。流水プレート２０の背面部２５と底面部２４の上面側の第２仕切り板２２とで区切られた範囲と、第２仕切り板２２と第１仕切り板２１とで区切られた範囲と、樋状部１１０の略Ｖ字状の下面で区切られた範囲と、リブプレートの下端と、上蓋体１０の受面部１３と、で作られる空間は、流水部として機能する。流量が少ないときは、樋状部１１０の範囲内のみで排水が流れ、流量が多くなってくると樋状部１１０の上部にまで水が達して流路幅が広くなり、さらに流量が多くなると樋状部１１０から溢れて、第２仕切り板２２と第１仕切り板２１とで区切られた範囲に排水が流れ込んで流路はさらに広くなり、さらに流量が多くなると、背面部２５と底面部２４の上面側の第２仕切り板２２とで区切られた範囲にまで排水が流れ込んで流路はさらに広くなる。樋状部１１０の略Ｖ字状の下面で区切られた範囲ではＶ字状流路を区画形成し、第２仕切り板２２と第１仕切り板２１とで区切られた範囲は凹状流路を区画形成する。
【００３８】
流水孔１４から排水溝ユニット１の内部に取り込まれた排水は、流水部へ導かれる。砂は水とともに流され、砂が洗い流された上流では、低流量でも略Ｖ字状の頂部すなわち下方に尖った部分に水が集中して流路が狭くなることで流速が上昇し、下流で砂礫に衝突するエネルギーが増加し、したがって、下流での砂の移動が活発となり、下流に砂が堆積することを防止でき、全体の砂の残渣重量が減る。本実施例では、流水補助部１００を有するため、低流量での砂の低減効果すなわち砂の排出効果が高い。特に、１．７リットル／ｍｍ以下の低流量域では、効果が高い。
【００３９】
排水能力は平均流速に比例する。流速が小さすぎると土砂が堆積する問題が生じる。雨量について標準降雨強度（３年確率１０分間降雨強度）を７０〜１００ｍｍ／ｈと想定して排水溝の強度計算をするが、日常ではそれほど大雨は多くなく、５〜２０ｍｍ／ｈの雨が降ることが多い。しかし、７０〜１００ｍｍ／ｈの雨量を想定した従来の排水溝では、５〜２０ｍｍ／ｈ程度の雨では、排水に含まれる土砂も一緒に流すために十分に流速が確保できず、内部に土砂が溜まりやすい。土砂が溜まるとやがて草が生え、排水機能が低下する。本実施例によれば、少ない雨量（およそ２０ｍｍ／ｈ以下）であっても、流水補助部１００が略Ｖ字状であるため低流量で流路幅が狭まり、流速を十分確保でき、少雨でも土砂の堆積を防ぐことができる。
【００４０】
なお、本実施例において、排水溝ユニット１の長手方向の長さは１．２ｍ、受面部の奥行は１５０ｍｍ、上面部の奥行は２００ｍｍ、流水プレートの底面下側から正面側の立ち上がり端までの高さは７０ｍｍ、各鋼板の厚さが５ｍｍ、流水プレート２０の底面上側からリブプレートの下端までの高さは６０ｍｍである。上蓋体１０の受面部１３の下部に溶接した補強アングルの下面から流水プレート２０の底面部２４の上面までの高さは５０ｍｍである。
【００４１】
｛効果｝
本実施例によれば、低流量域において砂の排出を高めることにより、排水機能の低下防止に高い効果をもたらし、土砂等が堆積しにくくなる。したがって、本実施例によれば、頻繁に清掃メンテナンスをしなくても排水機能の低下が生じにくく、かつ、排水溝に流れ込む水量が多くても少なくても対応できる。また鋼製であるため、耐久性に優れる。
【００４２】
本実施例では、流水補助部１００が溶接して取り付けてある排水溝ユニットであるが、既存の排水溝ユニットに流水補助部１００を嵌め込んで取り付けて固定してもよい。
【００４３】
低いコストで短期に頻繁に清掃メンテナンスをしなくても排水機能の低下が生じにくく、かつ、排水溝に流れ込む水量が多くても少なくても対応できる排水溝ユニットを実現出来る。
【実施例２】
【００４４】
実施例２の排水溝ユニット１’は、流水補助部が、略Ｖ字状でなく、略レ字状の流水補助部１００’である以外は、実施例１と同じである。
【００４５】
図９は、本発明の排水溝ユニットの実施例２の斜視図である。図９は、平面（上面）、正面、右側面を表す図である。流水プレート２０の底面部２４の上面側に、流水補助部１００’を、立ち上がり部２３に沿って流水補助部１００’の鍔部の一端を載置してある。
【００４６】
図１０は、本発明の排水溝ユニットの実施例２において上蓋体を開いた状態の斜視概略図である。また、図１１は、本発明の排水溝ユニットの実施例２において上蓋体を開き前面受アングルを外した状態の斜視概略図である。図１０及び図１１は、平面（上面）、正面、右側面を表す図である。図１０においては、流水プレート２０及びその詳細、前面受アングル７１、流水補助部１００’以外は図示を省略している。図１１においては、流水プレート２０及びその詳細、流水補助部１００’以外は図示を省略している。流水補助部１００’は、平面視において、立ち上がり部２３に溶接により取り付けた前面受アングル７１によって一部が隠れる。
【００４７】
図１２は、本発明の排水溝ユニットの実施例２における流水補助部の斜視図である。流水補助部１００’は、排水溝ユニット１’の、流水プレート２０の上面側、すなわち流水路に嵌め込む長尺の鋼板で、窪んだ底部を有するプレートであって、長手方向に沿って、中央付近から両端に向かってそれぞれ上昇する傾斜面を形成するように折曲してある樋状部１１０’を有し、長手方向に沿って、樋状部１１０’の両端に鍔部１２０’を有する。本実施例における樋状部１１０’は、断面略レ字状で、第１傾斜面１１１’、下端の頂点部分となる底部１１３’、第２傾斜面１１２’を有する。鍔部１２０’は、第１傾斜面１１１’の上端から外側（第２傾斜面１１３’と反対側）へ向かって延伸された部分である第１鍔部１２１’と、第２傾斜面１１２’の上端から外側（第１傾斜面１１１’と反対側）へ向かって延伸された部分である第２鍔部１２２’とを有する。本実施例の流水補助部は鋼製であるが樹脂製でもよい。
【００４８】
図１３は、本発明の排水溝ユニットの実施例２における流水補助部の設置説明図（右側）である。図１３は、右側面斜め上から見た図である。図１４は、本発明の排水溝ユニットの実施例２における流水補助部の設置説明図（左側）である。図１４は、左側面斜め上から見た図である。図１５は、本発明の排水溝ユニットの実施例２において上蓋体を開いた状態の右側面概略図である。図１６は、本発明の排水溝ユニットの実施例２において上蓋体を開いた状態の左側面概略図である。図１３〜図１６においては、流水プレートと前面受アングルと流水補助部以外は図示を省略している。
【００４９】
流水補助部１００’は、排水溝ユニット１’の右端から左端まである細長い形状で、立ち上がり部２３に沿って流水補助部１００’の鍔部１２０’の一端である第１鍔部１２１’を載置し、仕切り板のうち立ち上がり部に最も近い仕切り板である第１仕切り板２１の上に鍔部１２０’の他端である第２鍔部１２２’を載置してある。底部１１３’は底面部２４の上面と接触している。
【００５０】
本実施例において、底面部２４と第１傾斜面１１１’とでなす角と、底面部２４と第２傾斜面１１２’とでなす角は、非対称で異なる角度であり、底面部２４と第１鍔部１２１’とでなす角は９０度に近く、底面部２４と第２傾斜面１１２’とでなす角は極めて鋭角である。したがって、第１傾斜面１１１’の上面側は急斜面で、第２傾斜面１１２’の上面側はなだらかな緩斜面である。
【００５１】
本実施例において、底部１１３’は、下向きの頂角であるが、下向きの湾曲面で構成されてもよい。その場合に底部１１３’の湾曲面のカーブが緩やかであると、樋状部はやや変形した略Ｕ字状に近くなる。すなわち、樋状部の断面は略Ｕ字状でもよい。Ｕ字の底部分は狭い方が低流量での砂の排出には効果が高い。
【００５２】
流水プレート２０の底面部２４の上面側に設けられた、流水補助部１００’は、排水溝ユニット１’の長手方向全長に渡って設けられており、底面部２４のうち、最も立ち上がり部２３に近いエリアを覆っている。
【００５３】
流水プレート２０の背面部２５と底面部２４の上面側の第２仕切り板２２とで区切られた範囲と、第２仕切り板２２と第１仕切り板２１とで区切られた範囲と、樋状部１１０’の略レ字状の下面で区切られた範囲と、リブプレートの下端と、上蓋体１０の受面部１３と、で作られる空間は、流水部として機能する。流量が少ないときは、樋状部１１０’の範囲内のみで排水が流れ、流量が多くなってくると樋状部１１０’の上部にまで水が達して流路幅が広くなり、さらに流量が多くなると樋状部１１０’から溢れて、第２仕切り板２２と第１仕切り板２１とで区切られた範囲に排水が流れ込んで流路はさらに広くなり、さらに流量が多くなると、背面部２５と底面部２４の上面側の第２仕切り板２２とで区切られた範囲にまで排水が流れ込んで流路はさらに広くなる。
【００５４】
流水孔１４から排水溝ユニット１の内部に取り込まれた排水は、流水部へ導かれる。砂は水とともに流され、砂が洗い流された上流では、低流量でも略レ字状の頂部すなわち下方に尖った部分に水が集中して流路が狭くなることで流速が上昇し、下流で砂礫に衝突するエネルギーが増加し、したがって、下流での砂の移動が活発となり、下流に砂が堆積することを防止でき、全体の砂の残渣重量が減る。本実施例では、流水補助部１００を有するため、低流量での砂の低減効果が高い。なお、実施例１における樋状部１１０と本実施例の樋状部１１０’とは、上辺及び深さが同じであるため、断面積及び容量は同じである。
【００５５】
本実施例によれば、少ない雨量（およそ２０ｍｍ／ｈ以下）であっても、流水補助部１００’が略レ字状であるため低流量で流路幅が狭まり、流速を十分確保でき、少雨でも土砂の堆積を防ぐことができる。
【００５６】
本実施例において、上述した以外の点は実施例１と同様である。
【００５７】
｛効果｝
本実施例によれば、低流量域において砂の排出を高めることにより、排水機能の低下防止に高い効果をもたらし、土砂等が堆積しにくくなる。したがって、本実施例によれば、頻繁に清掃メンテナンスをしなくても排水機能の低下が生じにくく、かつ、排水溝に流れ込む水量が多くても少なくても対応できる。
【００５８】
本実施例では、流水補助部１００’が溶接して取り付けてある排水溝ユニット１’であるが、既存の排水溝ユニットに流水補助部１００’を嵌め込んで取り付けて固定してもよい。
【００５９】
低いコストで短期に頻繁に清掃メンテナンスをしなくても排水機能の低下が生じにくく、かつ、排水溝に流れ込む水量が多くても少なくても対応できる排水溝ユニットを実現出来る。
【００６０】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【符号の説明】
【００６１】
１、１’  排水溝ユニット
１０  上蓋体
１１  上面部
１２  前面部
１３  受面部
１４  流水孔
２０  流水プレート
２１  第１仕切り板
２２  第２仕切り板
２３  立ち上がり部
２４  底面部
２５  背面部
７１  前面受アングル
７２  背面受アングル
１００、１００’  流水補助部
１１０、１１０’  樋状部
１１１、１１１’  第１傾斜面
１１２、１１２’  第２傾斜面
１１３、１１３’  底部
１２０、１２０’  鍔部
１２２、１２２’  第１鍔部
１２２、１２２’  第２鍔部
【図１】
2019019637.tif 000003
【図２】
2019019637.tif 000004
【図３】
2019019637.tif 000005
【図４】
2019019637.tif 000006
【図５】
2019019637.tif 000007
【図６】
2019019637.tif 000008
【図７】
2019019637.tif 000009
【図８】
2019019637.tif 000010
【図９】
2019019637.tif 000011
【図１０】
2019019637.tif 000012
【図１１】
2019019637.tif 000013
【図１２】
2019019637.tif 000014
【図１３】
2019019637.tif 000015
【図１４】
2019019637.tif 000016
【図１５】
2019019637.tif 000017
【図１６】
2019019637.tif 000018
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
路面の排水を行う鋼製の排水溝ユニットであって、
（ａ）前記排水溝ユニット内に流入した排水を流す底面部と、前記底面部の端部から立ち上がり正面側の壁となる立ち上がり部と、前記立ち上がり部と反対側の底面部の端部から立ち上がる背面部とを有する流水プレートと、
（ｂ）前記流水プレートの上に載せて蓋として着脱可能に設けられ流水孔を穿設した上蓋体と、を有し、
（ｃ）前記流水プレートの底面部の上面側に、１又は複数の仕切り板を設けてあり、前記仕切り板のうち前記立ち上がり部に最も近い仕切り板と前記立ち上がり部との間に、流水補助部を、前記立ち上がり部に沿って嵌め込んで配置してあり、
前記流水補助部が、
（ア）前記排水溝ユニットの内部に嵌め込む長尺で窪んだ底部を有するプレートであって、
（イ）長手方向に沿って、底部から両端に向かってそれぞれ上昇する傾斜面を形成するように折曲してある樋状部を有し、
前記流水孔が、前記流水補助部の上に位置することを特徴とする排水溝ユニット。
【請求項２】
前記流水補助部が、長手方向に沿って、前記樋状部の両端に鍔部を有し、
前記立ち上がり部に沿って前記鍔部の一端を載置し、
前記仕切り板のうち前記立ち上がり部に最も近い仕切り板の上に前記鍔部の他端を載置してあることを特徴とする請求項１記載の排水溝ユニット。
【手続補正２】
【補正対象書類名】明細書
【補正対象項目名】００１２
【補正方法】変更
【補正の内容】
【００１２】
本発明の第２の態様は、上記目的を達成するため、路面の排水を行う鋼製の排水溝ユニットであって、
（ａ）前記排水溝ユニット内に流入した排水を流す底面部と、前記底面部の端部から立ち上がり正面側の壁となる立ち上がり部と、前記立ち上がり部と反対側の底面部の端部から立ち上がる背面部とを有する流水プレートと、
（ｂ）前記流水プレートの上に載せて蓋として着脱可能に設けられ流水孔を穿設した上蓋体と、を有し、
（ｃ）前記流水プレートの底面部の上面側に、１又は複数の仕切り板を設けてあり、前記仕切り板のうち前記立ち上がり部に最も近い仕切り板と前記立ち上がり部との間に、流水補助部を、前記立ち上がり部に沿って嵌め込んで配置してあり、
前記流水補助部が、
（ア）前記排水溝ユニットの内部に嵌め込む長尺で窪んだ底部を有するプレートであって、
（イ）長手方向に沿って、底部から両端に向かってそれぞれ上昇する傾斜面を形成するように折曲してある樋状部を有し、
前記流水孔が、前記流水補助部の上に位置することを特徴とする排水溝ユニットを提供する。
また、前記流水補助部が、長手方向に沿って、前記樋状部の両端に鍔部を有し、
前記立ち上がり部に沿って前記鍔部の一端を載置し、
前記仕切り板のうち前記立ち上がり部に最も近い仕切り板の上に前記鍔部の他端を載置してあることが好ましい。